(57)【要約】【課題】  カーナビゲーション装置３５において、地図データベース１５の更新を遅滞なく行うともとに、更新作業に対するユーザの負担感を軽減する。【解決手段】  移動体通信基地局３４は、カーナビゲーション装置３５のユーザよりダウンロード要求のあった特待券と共に該特待券に付随して、地図データを移動体通信装置２９へ送信する。地図データ受信手段３８は、移動体通信装置２９を介して地図データを受信する。地図データ更新手段３９は、地図データに基づき地図データベース１５を更新する。【選択図】      図２
2005241419.tif 000002
【特許請求の範囲】
【請求項１】
地図データベースを装備し該地図データベースの地図データに基づき表示器上に地図を表示可能としているカーナビゲーション装置において、
自動車側に装備される移動体通信装置が移動体通信基地局から移動体通信により特待券を受信するのに際し前記特待券に付随して前記移動体通信基地局から送られて来る付随データとしての地図データであって前記特待券の利用可能商店に係る地図データを前記移動体通信装置経由で受信する地図データ受信手段、及び
受信した地図データに基づき前記地図データベース内の地図データを更新する地図データ更新手段、
を有していることを特徴とするカーナビゲーション装置。
【請求項２】
付随データとしての改訂版データであって前記カーナビゲーション装置のファームウェアの改訂版データを受信する改訂版データ受信手段、及び
受信した改訂版データに基づき前記カーナビゲーション装置のファームウェアを更新するファームウェア更新手段、
を有していることを特徴とする請求項１記載のカーナビゲーション装置。
【請求項３】
地図データベースを装備し該地図データベースの地図データに基づき表示器上に地図を表示可能としているカーナビゲーション装置において、
商店の敷地に設置してあるスポット型無線通信基地局より前記商店に係る情報としての商店情報を受信する受信手段、及び
受信した商店情報を前記表示器に表示させる表示制御手段、
を有していることを特徴とするカーナビゲーション装置。
【請求項４】
前記商店情報に付随して前記スポット型無線通信基地局より送られて来る付随データとしての地図データを受信する前記受信手段、及び
受信した地図データに基づき前記地図データベース内の地図データを更新する地図データ更新手段、
を有していることを特徴とする請求項３記載のカーナビゲーション装置。
【請求項５】
前記商店情報に付随して前記スポット型無線通信基地局より送られて来る付随データとしての改訂版データであって前記カーナビゲーション装置のファームウェアの改訂版データを受信する前記受信手段、及び
受信した改訂版データに基づき前記カーナビゲーション装置のファームウェアを更新するファームウェア更新手段、
を有していることを特徴とする請求項３又は４記載のカーナビゲーション装置。
【請求項６】
前記カーナビゲーション装置を装備する車両の誘導経路に係る情報を前記スポット型無線通信基地局へ送信する送信手段、
前記誘導経路沿いの又は誘導経路から所定距離内の商店に係る情報としての誘導経路関連情報を受信する前記受信手段、及び
誘導経路関連情報を誘導経路と共に前記表示器に表示させる前記表示制御手段、
を有していることを特徴とする請求項３〜５のいずれかに記載のカーナビゲーション装置。
【発明の詳細な説明】
【技術分野】
【０００１】
本発明は、無線機能を装備するカーナビゲーション装置に関するものである。
【背景技術】
【０００２】
特許文献１の装置では、ユーザがカーナビゲーション装置から購入希望商品についての検索を指示すると、カーナビゲーション装置へ電話回路網等により接続されている商品情報管理サーバから、当該購入希望商品について在庫のある商店の情報がカーナビゲーション装置へ送られてきて、在庫のある商店がユーザに通知されるとともに、カーナビゲーション装置の表示器の地図には、在庫のある商店の位置が表示されるようになっている。
【０００３】
特許文献２のカーナビゲーション装置では、カーナビゲーション装置にプログラムを書き込んだり、カーナビゲーション装置内のプログラムを書き換えたりするために、プログラムデータを、携帯電話又はパソコンを経由してカーナビゲーション装置にダウンロードしている。
【０００４】
一方、飲食店等の商店が特待券（クーポン券を含む。）を発行するウェブサーバを用意し、客は、自分の携帯電話によりそのウェブサーバにアクセスして、特待券を携帯電話にダウンロードし、該特待券の利用可能商店において携帯電話表示器に表示される特待券を店員に提示することにより割引等の特待を受けられる販促が行われている。
【０００５】
また、商店が隣接しているとき、自動車の運転者は、進入した駐車場が、果たして自分が利用しようとする商店の駐車場であるか分からないことがある。
【特許文献１】特開２００３−１６３５１公報
【特許文献２】特開２００２−２０８０９７公報
【発明の開示】
【発明が解決しようとする課題】
【０００６】
特許文献１の装置では、在庫をもつ商店の場所がカーナビゲーション装置の地図に表示されるに留まり、カーナビゲーション装置の地図データベースが最新のものに更新されることはなかった。したがって、商店付近の道路や施設が変更されていたときは、ユーザは目的の商店間での道を間違えたり、目的の商店へたどり着くのに時間がかかるおそれがある。
【０００７】
特許文献２のカーナビゲーション装置では、ユーザは、カーナビゲーション装置のファームウェアを更新するときは、携帯電話やパソコンを使って、所定のアクセス先へアクセスして、プログラムをダウンロードすることになり、プログラムの更新作業についてのユーザの負担感が増大している。
【０００８】
本発明の目的は、ユーザの負担感を少なくして地図データベースを遅滞なくかつ能率的に更新できるカーナビゲーション装置を提供することである。
【０００９】
本発明の目的は、スポット型無線通信を利用した新規な用途をもつカーナビゲーション装置を提供することである。
【００１０】
本発明の目的は、ユーザの負担感を少なくしてファームウェアを遅滞なくかつ能率的にの改訂（バージョンアップ）できるカーナビゲーション装置を提供することである。
【課題を解決するための手段】
【００１１】
本発明によれば、カーナビゲーション装置は、地図データベースを装備し該地図データベースの地図データに基づき表示器上に地図を表示可能とし、次のものを有している。
自動車側に装備される移動体通信装置が移動体通信基地局から移動体通信により特待券を受信するのに際し特待券に付随して移動体通信基地局から送られて来る付随データとしての地図データであって特待券の利用可能商店に係る地図データを移動体通信装置経由で受信する地図データ受信手段、及び
受信した地図データに基づき地図データベース内の地図データを更新する地図データ更新手段。
【００１２】
本発明のカーナビゲーション装置は、地図データベースを装備し該地図データベースの地図データに基づき表示器上に地図を表示可能とし、次のものを有している。
商店の敷地に設置してあるスポット型無線通信基地局より商店に係る情報としての商店情報を受信する受信手段、及び
受信した商店情報を表示器に表示させる表示制御手段。
【発明の効果】
【００１３】
本発明によれば、特待券を利用可能な商店に係る地図データが特待券に付随して送信されて来て、カーナビゲーション装置の地図データベースの地図データを更新する。すなわち、ユーザは、地図データのダウンロードに係るユーザ操作を特に行うことなく、地図データベースの地図データの更新作業が自動的に行われることになるので、地図データベースの地図データを更新することについて能率化、迅速化、さらに、ユーザ負担の軽減化を図ることができる。
【００１４】
ＤＳＲＣ（Dedicated Short Range Communications：専用狭域通信）等のスポット型無線通信では、非常に限定された地域範囲の自動車に限定して情報を送ることができる。したがって、スポット型無線通信基地局を商店の敷地の所定箇所、例えば駐車場の入り口等に設置することにより、所定箇所に密接に関連する商店情報をカーナビゲーション装置のユーザに通知できる。なお、このような所定箇所に密接に関連する商店情報とは、例えば、（ａ）”この駐車場はＡ商店の駐車場である”との駐車場識別情報、（ｂ）”駐車場のこの付近から施設への出入りは玄関Ａが便利である。”旨の情報である。
【発明を実施するための最良の形態】
【００１５】
図１はカーナビゲーション装置１０のハードウェア構成図である。このハードウェア構成は、後述の装置カーナビゲーション装置３５，４５の構成に適用される。ＧＰＳモジュール１１は、ＧＰＳ衛星からの電波に基づき自車位置を検出する。ＶＩＣＳモジュール１２は、ＦＭ多重放送等から道路渋滞情報を受信する。ＴＶチューナ１３は、ＶＨＦやＵＨＦのテレビ放送電波に係るビデオ及びオーディオ信号を出力する。ハードディスク装置１４は、地図データベース１５を含むとともに、ＣＤ等からダビングした楽曲データ等を適宜書き込み及び読み出し自在になっている。ＣＤ／ＤＶＤドライブ１８は、所定のＣＤ−ＲＯＭから地図データベース１５用のデータを読み取り自在になっているとともに、音楽ＣＤやＤＶＤ等から楽曲や映画の再生用データを読み取り可能になっている。処理及び制御装置２０は、ＣＰＵを含み、ＧＰＳモジュール１１、ＶＩＣＳモジュール１２、ＴＶチューナ１３、ハードディスク装置１４及びＣＤ／ＤＶＤドライブ１８からのデータ及び信号を受け取り、各種の処理を実行する。画像生成器２２は、処理及び制御装置２０から入力されるデータに基づき画像表示信号を生成して、モニタ２３に出力する。Ｄ／Ａ変換器２５は、処理及び制御装置２０からデジタルオーディオ信号を受け、それをアナログオーディオ信号へ変換して、スピーカ２６へ出力する。このカーナビゲーション装置１０は、楽曲ＣＤをＣＤ／ＤＶＤドライブ１８にセットして、該音楽ＣＤに記録されている楽曲を再生して、スピーカ２６から放音するとともに、映画ＤＶＤをＣＤ／ＤＶＤドライブ１８にセットして、該映画ＤＶＤに記録されている映画を再生して、モニタ２３に映像を表示し、かつスピーカ２６から放音するようになっている。カーナビゲーション装置１０は、さらに、移動体通信装置２９及び／又はスポット型無線通信装置３０を装備する。移動体通信装置２９は表示器付き携帯電話であってもよく、ユーザは、自動車から下車の際に、カーナビゲーション装置３５から移動体通信装置２９を適宜、分離して、携帯できるようになっている。
【００１６】
図２はカーナビゲーション装置３５の機能ブロック図である。図２において、地図データベース１５及び表示器３６はそれぞれ図１の地図データベース１５と同一及びモニタ２３と対応している。ユーザは、自動車内において移動体通信装置２９に特待券をダウンロードした後、下車の際に、移動体通信装置２９を携帯のためにカーナビゲーション装置３５から取り外し、それから、商店に入場し、店員には、移動体通信装置２９の表示器に特待券をメモリから呼び出して、それを店員に提示して、所定の割引等を得る。
【００１７】
カーナビゲーション装置３５は、地図データベース１５を装備し該地図データベース１５の地図データに基づき表示器３６上に地図を表示可能としている。カーナビゲーション装置３５は、地図データベース１５、移動体通信装置２９、及び表示器３６の他に、さらに、移動体通信装置２９、地図データ受信手段３８及び地図データ更新手段３９を有している。移動体通信装置２９は、カーナビゲーション装置３５専用に設けられていてもよいし、ユーザが自動車から降りたときは、携帯電話としての使用可能とされたり、他のカーナビゲーション装置３５にも装着又は接続可能なものであったりしてよい。地図データ受信手段３８は、自動車側に装備される移動体通信装置２９が移動体通信基地局３４から移動体通信により特待券を受信するのに際し特待券に付随して移動体通信基地局３４から送られて来る付随データとしての地図データであって特待券の利用可能商店に係る地図データを移動体通信装置２９経由で受信する。地図データ更新手段３９は、受信した地図データに基づき地図データベース１５内の地図データを更新する。
【００１８】
商店には、特待券を発行するすべての施設を含むものとし、例えば、飲食店、衣料品店、レジャーランド、スポーツ施設、ホテル及び旅館、美術館、及び病院を含むものとする。特待券とは、消費者が商品及びサービスの購入に当たり、それを提示したり、渡したりすれば、所定の割引を受けたり、所定の景品を貰えたり等、消費者が有利な利益を受けとることのできる券を言い、クーポン券を含むものとする。ユーザは、所望の特待券を発行するインターネット上のサイトへ移動体通信装置２９及び移動体通信基地局３４を介してアクセスする。そして、該特待券発行サイトから特待券をダウンロードする。所望の特待券を発行するサイトへのアクセス及び該サイトから特待券のダウンロードは、カーナビゲーション装置３５におけるユーザ操作により行なわれる。該サイトからは、ユーザより要求のあった特待券に付随して、地図データをカーナビゲーション装置３５へ送信する。地図データは特待券の付随データとして送信するもので、ユーザは、特待券に対するダウンロードのユーザ操作は行っても、付随データに対するダウンロードのユーザ操作は省略される。地図データベース１５における地図データの規格がカーナビゲーション装置３５のメーカや機種ごとに異なる場合もある。そのような場合には、特待券発行サイトは、（ａ）デフォルトの規格の地図データを送信して、その規格に合わないカーナビゲーション装置３５における地図データの更新は無視するか、（ｂ）複数の規格の地図データを送信して、カーナビゲーション装置３５に自分の規格に合ったものを選択させるか、（ｃ）ユーザにカーナビゲーション装置３５のメーカや機種について予め問合せを行なって、その回答をユーザから受信して、回答に対応する規格の地図データを送信するか、あるいは（ｄ）中間データとしての地図データをカーナビゲーション装置３５へ送信して、カーナビゲーション装置３５にはその中間データから自分の規格用の地図データを加工させるか等となる。
【００１９】
移動体通信基地局３４からの特待券は、移動体通信装置２９のメモリに記憶される。移動体通信装置２９が、ユーザによる携帯のためにカーナビゲーション装置３５から取り外されても、ユーザは、メモリから特待券を適宜呼出しして、移動体通信装置２９の表示器上に表示することができる。付随データとしてダウンロードされて来る地図データ（以下、「ダウンロード地図データ」という。）は、移動体通信装置２９を経て地図データ受信手段３８に到達する。典型的なダウンロード地図データは、最新のものとなっているとともに、特待券の利用可能商店の位置を含むその近辺の所定範囲の地図データとなっている。地図データ更新手段３９は、ダウンロード地図データに基づき地図データベース１５の地図データを更新する。表示器３６に表示される地図は、地図データベース１５の地図データに基づくものとなるので、ユーザは、表示器３６において、最新の地図に基づき、特待券を使用する商店の位置を探したり、誘導経路を探索させたりすることができる。地図データベース１５の地図データの更新が、特待券のダウンロードに伴って、実施される結果、地図データベース１５の地図データの更新作業についてのユーザの負担感が軽減されるとともに、更新が遅滞なく行われる。
【００２０】
なお、今回特待券を発行する商店が、期間限定の一時的な商店であったりすることがある。また、特待券を発行する商店近辺の地図が、一時的な道路変更に伴う一時的な地図であったりすることがある。そのような一時的な地図データがダウンロードされて来た場合には、カーナビゲーション装置３５は、ダウンロード地図データを今回限りの使用に留め、使用後は破棄する。ダウンロード地図データが一時的なものか否かは、ダウンロード地図データに付帯情報を付帯させ、付帯情報内に一時的なものか否かの情報を含ませればよい。
【００２１】
カーナビゲーション装置３５は、さらに、改訂版データ受信手段４０及びファームウェア更新手段４１を有している。改訂版データ受信手段４０は、付随データとしての改訂版データであってカーナビゲーション装置３５のファームウェア４２の改訂版データを受信する。ファームウェア更新手段４１は、受信した改訂版データに基づきカーナビゲーション装置３５のファームウェア４２を更新する。ファームウェア４２の更新が、特待券のダウンロードに伴って、実施される結果、ファームウェア４２の改訂作業についてのユーザの負担感が軽減されるとともに、遅滞のない更新が行われる。なお、ファームウェア４２の改訂には、ファームウェア４２のバグの修正だけでなく、ファームウェア４２への機能追加も含まれる。
【００２２】
図３はカーナビゲーション装置４５の機能ブロック図である。図３において、地図データベース１５及び表示器３６はそれぞれ図１の地図データベース１５と同一及びモニタ２３と対応している。カーナビゲーション装置４５は、地図データベース１５を装備し該地図データベース１５の地図データに基づき表示器３６上に地図を表示可能としている。カーナビゲーション装置４５は、地図データベース１５及び表示器３６の他に、地図データ更新手段３９、ファームウェア更新手段４１、ファームウェア４２、受信手段４７、表示制御手段４８及び送信手段５０を有している。地図データ更新手段３９、ファームウェア更新手段４１及びファームウェア４２は、図２の同符号のものと同一である。受信手段４７は、商店の敷地に設置してあるスポット型無線通信基地局４４より商店に係る情報としての商店情報を受信する。表示制御手段４８は、受信した商店情報を表示器３６に表示させる。
【００２３】
スポット型無線通信基地局４４は、例えば、（ａ）商店の駐車場の入り口に設置してあり、該入り口を通過中の自動車のカーナビゲーション装置４５と通信を行うようになっていたり、（ｂ）駐車場の出入り口以外の所定箇所に設置してあり、極めて限定された領域内に駐車中の自動車のカーナビゲーション装置４５と通信を行うようになっていたりする。スポット型無線通信の通信方式は、例えばＤＳＲＣ（Dedicated Short Range Communications：専用狭域通信）であり、ＤＳＲＣでは、約１０ｍ以内に限定された距離範囲で双方向の無線通信が可能となっている。商品情報とは、例えば、商店名、商店の営業時間及び定休日等のお知らせ、並びに宣伝を含む。商店情報は、典型的には文字として表示器３６に表示されるが、商品の静止画像や動画により表示器３６に表示されてもよい。商品情報としての商品宣伝は、例えば本日現在の特売品、明日以降の特売日及び特売品を含む。こうして、商店は、該商店の駐車場等の敷地内に特定箇所の自動車に対して該自動車装備のカーナビゲーション装置４５を介して該特定箇所特有の商店情報を通知できる。例えば（ａ）スポット型無線通信基地局４４が駐車場の入り口箇所に設置されたときに、該スポット型無線通信基地局４４から該入り口箇所を通過する自動車のカーナビゲーション装置４５に対して特定箇所特有の商店情報の一つとしての商店名を通知することにより、カーナビゲーション装置４５のユーザは自分の自動車が進入しようとしている駐車場が、これから買い物をしようとする商店の駐車場であるか否かを明確に知ることができ、（ｂ）スポット型無線通信基地局４４が駐車場の入り口箇所と出口箇所にそれぞれ設置されているときに、入り口箇所ではそこを通過する自動車のユーザに特定箇所特有の商店情報として本日の特売を通知し、出口箇所ではそこを通過する自動車のユーザに特定箇所特有の商店情報として明日以降の特売を通知することにより、商店は、このようなスポット型無線通信を販促に利用することができる。
【００２４】
受信手段４７は、また、商店情報に付随してスポット型無線通信基地局４４より送られて来る付随データとしての地図データを受信する。地図データ受信手段３８は、受信した地図データに基づき地図データベース１５内の地図データを更新する。地図データベース１５の地図データの更新が、商店情報の受信及び表示に対するバッググラウンド処理のように、実施される結果、地図データベース１５の地図データの更新作業についてのユーザの負担感が軽減されるとともに、更新が遅滞なく行われる。
【００２５】
受信手段４７は、商店情報に付随してスポット型無線通信基地局４４より送られて来る付随データとしての改訂版データであってカーナビゲーション装置３５のファームウェア４２の改訂版データを受信する。ファームウェア更新手段４１は、受信した改訂版データに基づきカーナビゲーション装置３５のファームウェア４２を更新する。ファームウェア４２の更新が、商店情報の受信及び表示に対するバッググラウンド処理のように、実施される結果、ファームウェア４２の更新作業についてのユーザの負担感が軽減されるとともに、更新が遅滞なく行われる。
【００２６】
送信手段５０は、カーナビゲーション装置３５を装備する車両の誘導経路に係る情報をスポット型無線通信基地局へ送信する。受信手段４７は、誘導経路沿いの又は誘導経路から所定距離内の商店に係る情報としての誘導経路関連情報を受信する。
【００２７】
前述のＤＳＲＣは双方向通信が可能な通信方式である。ユーザは、所定の目的地への誘導経路をカーナビゲーション装置４５に探索させ、探索した誘導経路に基づいて目的地へ向かう途中に、或る商店に立ち寄ることがある。ユーザが立ち寄った商店のスポット型無線通信基地局４４に対し、ユーザのカーナビゲーション装置４５からスポット型無線通信基地局４４へカーナビゲーション装置４５内に設定された誘導経路情報が送信されることにより、スポット型無線通信基地局４４に接続されたホストコンピュータが該商店から目的地までの誘導経路上及び誘導経路から所定距離内の商店に係る商店情報を探索し、それがスポット型無線通信基地局４４から受信手段４７に送り返される。探索される商店情報は、任意に設定された選択基準に基づいて選択された商店に係る情報とし得るが、該選択基準を、今回立ち寄った商店と同一系列（同一チェーン）に属する商店とすることもできる。商店情報には、例えば、商店の位置及びその位置をカバーする地図のデータが含まれる。こうして、ユーザは、これから先、目的地までに存在する商店情報を入手できる。なお、スポット型無線通信基地局４４は、ユーザのカーナビゲーション装置４５から誘導経路情報を受信しなくても、スポット型無線通信基地局４４の設置されている商店と同一系列の他の商店に係る情報を商店情報としてユーザのカーナビゲーション装置４５へ送信することもできる。スポット型無線通信基地局４４は、商店の敷地内に設置されているが、誘導経路沿いの商店及び／又は誘導経路から外れるものの僅かに外れる程度の位置の商店に係る商店情報については、スポット型無線通信基地局４４を道路沿いに適宜、設置して、自動車のカーナビゲーション装置４５と、受信手段４７及び送信手段５０を介して双方向通信することにより、提供可能である。
【実施例】
【００２８】
図４は第１の実施例において特待券及びそれに付随して伝送される情報の流れに係る説明図である。移動体通信基地局３４は、インターネットを介して特待券発行サイト６０と接続され、カーナビゲーション装置１０のユーザからのアクセス要求に基づき、対応の特待券発行サイト６０より特待券及びその付随データを受け取り、移動体通信装置２９へ送信する。特待券のデータは移動体通信装置２９に留まり、地図データ及び改訂版データのみが処理及び制御装置２０へ到達して処理される。移動体通信装置２９は、処理及び制御装置２０と分離自在にケーブル接続される。
【００２９】
図５は第２の実施例において商店情報及びそれに付随して伝送される情報の流れに係る説明図である。第２の実施例では、スポット型無線通信が利用される。商店基地局６２は、図３のスポット型無線通信基地局４４としての役割を果たし、商店の駐車場の入り口等に設置される。スポット型無線通信装置３０と処理及び制御装置２０とはケーブルで接続され、商店情報、地図データ及びファームウェアの改訂版データは、商店基地局６２からスポット型無線通信装置３０へ無線で送信され、処理及び制御装置２０へ送られ、表示器３６への表示等の所定の処理が行なわれる。
【００３０】
図６は第１の実施例におけるデータ処理の説明図である。移動体通信基地局３４は、カーナビゲーション装置３５へ無線により特待券６５、地図データ６６、及び改訂版データ６７を送信する。カーナビゲーション装置３５に受信された特待券６５は、例えば携帯電話機である移動体通信装置２９における表示データ記憶領域７０に追加され、カーナビゲーション装置３５に受信された地図データ６６は地図データベース１５の古い地図データ７２に上書きされて、カーナビゲーション装置３５に受信された改訂版データ６７はファームウェア４２のバグ又は改善個所７４に上書きされる。
【００３１】
図７は第２の実施例におけるデータ処理の説明図である。スポット型無線通信基地局４４は、カーナビゲーション装置４５へ無線により商店情報７７、地図データ６６、及び改訂版データ６７を送信する。カーナビゲーション装置４５に受信された商店情報７７はカーナビゲーション装置４５における表示データ記憶領域７８に追加され、カーナビゲーション装置４５に受信された地図データ６６は地図データベース１５の古い地図データ７２に上書きされ、カーナビゲーション装置４５に受信された改訂版データ６７はファームウェア４２のバグ又は改善個所７４に上書きされる。
【図面の簡単な説明】
【００３２】
【図１】カーナビゲーション装置のハードウェア構成図である。
【図２】カーナビゲーション装置の機能ブロック図である。
【図３】別のカーナビゲーション装置の機能ブロック図である。
【図４】第１の実施例において特待券及びそれに付随して伝送される情報の流れに係る説明図である。
【図５】第２の実施例において商店情報及びそれに付随して伝送される情報の流れに係る説明図である。
【図６】第１の実施例におけるデータ処理の説明図である。
【図７】第２の実施例におけるデータ処理の説明図である。
【符号の説明】
【００３３】
１０：カーナビゲーション装置、１５：地図データベース、２９：移動体通信装置、３０：スポット型無線通信装置、３４：移動体通信基地局、３５：カーナビゲーション装置、３６：表示器、３８：地図データ受信手段、３９：地図データ更新手段、４０：改訂版データ受信手段、４１：ファームウェア更新手段、４２：ファームウェア、４４：スポット型無線通信基地局、４５：カーナビゲーション装置、４７：受信手段、４８：表示制御手段、５０：送信手段、６２：商店基地局（スポット型無線通信基地局）、６５：特待券、６６：地図データ、６７：改訂版データ。
【図１】
2005241419.tif 000003
【図２】
2005241419.tif 000004
【図３】
2005241419.tif 000005
【図４】
2005241419.tif 000006
【図５】
2005241419.tif 000007
【図６】
2005241419.tif 000008
【図７】
2005241419.tif 000009